(57)【特許請求の範囲】
【請求項１】
浴室内を加温及び加湿して該浴室内をサウナのようにする浴室用温風発生装置において、前記浴室内に流圧をもってお湯を供給する給湯口に接続する入湯口と、この入湯口からの湯流により駆動される起風ファンと、該起風ファンによる気流中に配置した気液熱交換構造とよりなり、前記入湯口から入った湯は、前記起風ファンを駆動し、且つ前記気液熱交換構造を通って外部に流出するようにしてなることを特徴とする浴室用温風発生装置。
【請求項２】
前記気液熱交換構造は、湯流を誘導する中空パイプと該中空パイプに固定した高熱伝導性のフィンとよりなるラジエター状の熱交換構造である請求項１に記載の浴室用温風発生装置。
【請求項３】
前記湯流の一部を前記起風ファンの吸気側に霧散する噴霧器を設けた請求項１又は２に記載の浴室用温風発生装置。
【請求項４】
前記気液熱交換構造は、前記起風ファンを駆動した湯流を該起風ファンの吸気側に散布する散布口を備えた請求項１〜３の何れかに記載の浴室用温風発生装置。
【請求項５】
前記熱交換構造を通過した湯に水圧を与えるポンプを設けるとともに、該ポンプを前記入湯口からの湯流により駆動するようにした請求項１〜４の何れか記載の浴室用温風発生装置。
【発明の詳細な説明】
【０００１】
【発明の属する技術分野】
本発明は、浴室内を加温及び加湿して該浴室内をサウナのようにする浴室用温風発生装置に関する。
【０００２】
【従来技術】
従来、給湯器からの湯流を利用して、浴室内を加温・加湿する装置は各種提案されている。
夫々に有効なものであったが、一つ問題となるのは、浴室内全体に温風を循環させるのには、温風循環用のファンを駆動する電気エネルギーが必要である点であった。
つまり、温風を浴室内に吹き込むのに電動ファンを使用せざるを得なかったので、そのための電気設備が必要であった。
浴室のような高温多湿の空間での電気使用は漏電の危険があり、それがために漏電防止のために過大な設備が必要となる点である。
【０００３】
【発明が解決した課題】
本発明はこのような実情に鑑み、給湯装置から浴室内に供給される湯の流圧を有効に利用し、電気エネルギーを使用しなくとも、浴室内に温風を循環させうることを目的にした。
【０００４】
【課題解決のための手段】
本発明１は、浴室内を加温及び加湿して該浴室内をサウナのようにする浴室用温風発生装置において、前記浴室内に流圧をもってお湯を供給する給湯口に接続する入湯口と、この入湯口からの湯流により駆動される起風ファンと、該起風ファンによる気流中に配置した気液熱交換構造とよりなり、前記入湯口から入った湯は、前記起風ファンを駆動し、且つ前記気液熱交換構造を通って外部に流出するようにしてなる。
【０００５】
このように構成することで、流圧をもって本装置に供給されることで、起風ファンを駆動して、気液熱交換構造を通り浴室内に向かう気流を発生する。
そして、この気液熱交換構造には前記湯が送り込まれ、その熱量を気流中に与え、当該気流を温風にする。
この結果、湯の供給流圧以外のエネルギーをまったく使用しなくとも浴室内を循環する温風を作ることができた。
【０００６】
本発明２は、前記本発明１に記載の浴室用温風発生装置において、その気液熱交換構造は、湯流を誘導する中空パイブとこのパイプに固定した高熱伝導性のフィンとよりなるラジエター状の熱交換構造であることを特徴とする構成を採用した。
【０００７】
この構成をさらに付加することで、湯と気流との熱交換効率を高め、湯の温度が少々低くとも高い温度の温風を作ることができるようになった。
【０００８】
本発明３は、前記本発明２に記載の浴室用温風発生装置において、湯流の一部を前記起風ファンの吸気側に霧散する噴霧器を設けてあることを特徴とする構成を採用した。
【０００９】
さらに、このようにして、起風ファンの吸引側に、高温の湯を噴霧することで、湯を効率よく蒸気化して、高温多湿の温風を作ることができた。
【００１０】
本発明４は、前記本発明１に記載の浴室用温風発生装置において、前記気液熱交換構造は、前記起風ファンを駆動した湯流をこの起風ファンの吸気側に散布する散布口を設けたことを特徴とする構成を採用した。
【００１１】
散布した湯を気流に直接接触させることにより湯と気流との熱交換を行うこととしたので、温風の発生のみならず、湯の蒸気化をも同時に行えるようになった。
【００１２】
本発明５は、前記本発明１から４の何れかに記載の浴室用温風発生装置であって、熱交換構造を通過した湯に水圧を与えるポンプを設けるとともに、このポンプを前記入湯口からの湯流により駆動するようにしてなることを特徴とする構成を採用した。
【００１３】
このようにすることで、前記温風発生装置を通った湯に再度流圧が与えられるので、高所に持ち上げ、シャワー等に使用することができるようになった。
さらに、温風発生装置を浴室の低い位置に配置し、発生した温風を浴室の低い位置から循環させるようにしても、利用済みの湯を浴槽に流し込むことができ、湯の無駄を無くすことができた。
【００１４】
【発明の実施態様】
本発明をより具体的に示すため、添付の図を参考にして、幾つかの実施例を以下に示す。
【００１５】
［実施例１］
本発明に係る浴室用温風発生装置の実施例を、図１、図２，図３、図４、図５に基づいて説明する。
１は、本実施例装置の外ケースであって、正面には、温風吹出し口２、空気吸引口３、熱湯蛇口から伸びたホース（図示せず）の先端を接続する入湯口４、使用済みのお湯を装置外に排出するドレン口５、熱交換用バルブ１４の開閉ハンドル６、噴霧バルブ１７の開閉ハンドル７が配されている。
【００１６】
前記入湯口４から流入した湯は、水車室８に入り、水車９を回転させる。
この水車９は、回転軸１１をシロッコファン１０と共有し、水車９の回転とともに、前記シロッコファン１０を駆動して、前記空気吸引口３から温風吹き出し口２に向かう空気流を、装置内に発生させる。
前記水車室８を出た湯は導水パイプ１２を通って二股分岐管１３にいたる。
この二股分岐管１３の一方の出口は熱交換用バルブ１４を介して、ラジエター型の熱交換器１５の誘導パイプ１６の入り口に接続してある。
前記二股分岐管１３の他方の出口は、噴霧バルブ１７を介して噴霧器１８の入り口に接続してある。
【００１７】
前記熱交換器１５は、湯を案内する誘導パイプ１６とこの誘導パイプ１６に固定された多数の薄板状高熱伝導性フィン１９により構成されている。
前記誘導パイプ１６を通過した湯は、前記ドレン口５より装置外に排出される。
前記噴霧器１８は、チャンバー２０とこのチャンバーの底面に設けた複数の噴霧口２１とにより構成されている。
前記噴霧バルブ１７を通って前記チャンバー２０に入った湯は、その内部に蓄積されて内圧を高めることとなる。
圧力が一定以上になると、前記噴霧口２１より霧状になって、前記シロッコファン１０を覆うファンカバー２２の入り口内部に吹出される。
【００１８】
このようにして、入湯口４から入った湯は、シロッコファン１０を回転させて、装置内に一定方向の気流を生じさせる。
それとともに、前記熱交換器１５を通過することで、前記気流に熱量を与えて温風化する。
また、前記噴霧器１８に入った湯は、前記気流中に噴霧されて気流の湿度を高めることとなる。
気流の強弱は、前記水車室８を通過する単位時間あたりの湯量により左右されることとなる。
そして、この流量は、メインの湯流れである熱交換器１５への流量でほぼきまるので、その流量を調整する熱交換用バルブ１４の開きの度合いで調整できることとなる。
つまり、前記ハンドル（６）の回転により、熱風の量と風速を調整することができる。  また、気流の湿度は、噴霧器１８への湯供給量により決まるので、噴霧バルブ１７を調整するハンドル１７により調整できる。
なお、ドレン口５から排出される湯には、流圧が残っているので、少々の高さであれば、ホースにより誘導することが可能である。
【００１９】
［実施例２］
本実施例２は、前記実施例１のような熱交換器１５を使用せず、噴霧器１８による散布によることとしたものである。
具体的には、水車室８と噴霧バルブ３２を導水パイプ１２介して噴霧器３３の入り口に直結してある。
このようにして、本装置に供給されて湯の全量を前記噴霧器３３に供給する。
なお、この噴霧器３３は前記実施例１のそれよりも多数の噴霧口（図示せず）が設けてあり、前記水車９の回転を十分確保する程度の水流を得られる量の湯を、シロッコファン１０を覆うファンカバー３４の入り口内部に吹出するようにしてある。
このファンカバー３４の入り口側の下辺は、樋状の湯受け３５にしてある。
このようにして、噴霧器３３から散布された湯は、気流に熱量を湿気を与え、気流とともに流れなかった湯は、前記湯受け３５に受け止められ案内されてドレン口５より外部に排出されるようにしてある。
３６は、外ケース３１内に外気を吸引する空気吸引口である。その他の構成は、前記実施例１と同様なので図中に同様な符号をつけ、ここでの説明は省略する。
【００２０】
［実施例３］
前記実施例２のような構成では、使用後の湯に流圧がないので、本装置を低い位置に配した場合は、湯を放棄せざるを得なくなる場合がある。
このため、本実施例では、このような湯に流圧を与える構成を採用した。
具体的には、前記水車９の回転軸１１の他方に回転ポンプ４１の回転軸を接続する。
この回転ポンプ４１の流入口４２と前記ドレン口５を延長した延長ドレンパイプ４３の先端を接続する。
このようにして、湯の流体圧により、シロッコファン１０ともに回転ポンプ４１を駆動し、排出する湯に圧力を与え、使用後の湯を無駄なく使用できるようにした。
【００２１】
［その他の実施例］
前記実施例では、何れもファンの空気吸引口側に熱交換構造を配置したが、これを空気排出口側に配置することも可能のである。
また、前記実施例１のようにラジエター型の熱交換器を使用した場合は、この熱交換器を通った湯で起風ファンを駆動しても良い。
【発明の効果】
以上要するに、本発明では浴室内に通常存在する、給湯設備を利用するのみで、浴室内に温風の流れを作ることができるようになった。
それゆえに、使用にあたり電気工事などの付帯工事をまったく必要とせずに、浴室をサウナのような高温多湿雰囲気にすることができる。
さらに、使用後の湯に対しても必要な流圧を付与することができるので、その利用が容易である。
【図面の簡単な説明】
【図１】は、実施例１を示す正面側斜視図である。
【図２】は、実施例１を示す背面側斜視図である。
【図３】は、実施例１を示す一部切り欠き平面図である。
【図４】は、実施例１を示す一部切り欠き背面図である。
【図５】は、実施例１を示す一部切り欠き右側面図である。
【図６】は、実施例２を示す一部切り欠き右側面図である。
【図７】は、実施例３を示す一部切り欠き右側面図である。
【符号の説明】
１・・ 外ケース、２・・ 温風吹き出し口、３。。 空気吸引口、４・・ 入湯口、５・・ ドレン口、６・・ 開閉ハンドル、７・・ 開閉ハンドル、８・・ 水車室、９・・ 水車、１０ ・・シロッコファン、１１・・ 回転軸、１２・・ 導水パイプ、１３ ・・二股分岐管、１４・・ 熱交換用バルブ、１５ ・・熱交換器、１６・・ 誘導パイプ、１７・・ 噴霧バルブ、１８ ・・噴霧器、１９・・ 薄板状高熱伝導性フィン、２０・・ チャンバー、２１・・ 噴霧口、２２・・ ファンカバー、３１・・ 外ケース、３２・・ 噴霧バルブ、３３・・ 噴霧器、３４・・ ファンカバー、３５・・ 湯受け、３６・・ 空気吸引口、４１・・ 回転ポンプ、４２・・ 流入口、４３・・ 延長ドレンパイプ。
【図１】
0003810967.tif 000002
【図２】
0003810967.tif 000003
【図３】
0003810967.tif 000004
【図４】
0003810967.tif 000005
【図５】
0003810967.tif 000006
【図６】
0003810967.tif 000007
【図７】
0003810967.tif 000008